(57)【要約】【課題】照明部を支持するアーム部がベースの手前側に連結された構成を有し、自装置の転倒を抑制することができる照明装置を提供する。【解決手段】アーム部３とアーム部３の一端に連結されたベース２とアーム部３の他端に連結された照明部４とを備えた照明装置１である。平面視において、前記一端はベース２の面積中心Ｃからベース２の外周方向にずれた箇所に連結されている。前記一端と面積中心Ｃとを通る第１の仮想直線Ｌ１と、面積中心Ｃを通り第１の仮想直線Ｌ１に直交する第２の仮想直線Ｌ２とを想定した場合に、照明部４は第２の仮想直線Ｌ２に対して前記一端と同じ側に位置し、照明部４と面積中心Ｃとの間の距離は、前記一端と面積中心Ｃとの間の距離よりも長い。第２の仮想直線Ｌ２に対してベース２の前記一端が連結されている側を第１領域Ｒ１、連結されていない側を第２領域Ｒ２とすると、重りの重心Ｇは、第２領域Ｒ２に位置する。【選択図】図６
2014086404.tif 000002
【特許請求の範囲】
【請求項１】
アーム部と、重りを有し前記アーム部の一端に連結されたベースと、光源を有し前記アーム部の他端に連結された照明部と、を備えた照明装置であって、
平面視において、
前記アーム部の一端は、前記ベースの面積中心から前記ベースの外周方向にずれた箇所に連結されており、
前記アーム部の一端と前記ベースの面積中心とを通る第１の仮想直線と、前記ベースの面積中心を通り前記第１の仮想直線に直交する第２の仮想直線とを想定した場合に、前記照明部は、前記第２の仮想直線に対して前記アーム部の一端と同じ側に位置し、前記照明部と前記ベースの面積中心との間の距離は、前記アーム部の一端と前記ベースの面積中心との間の距離よりも長く、
前記第２の仮想直線に対して前記ベースの前記アーム部の一端が連結されている側を第１領域、連結されていない側を第２領域とすると、前記重りの重心は、前記第２領域に位置する
ことを特徴とする照明装置。
【請求項２】
前記ベースは、設置面に載置される下ベース部と、前記設置面と平行な平面内において前記下ベース部に対して回動可能に前記下ベース部上に設けられた上ベース部と、から成り、
前記アーム部の一端は、前記上ベース部に連結され、前記上ベース部の回動に伴って回動する
ことを特徴とする請求項１に記載の照明装置。
【請求項３】
前記重りの少なくとも一部は、前記上ベース部の回動に伴って回動する
ことを特徴とする請求項１または２に記載の照明装置。
【請求項４】
平面視において、前記重りの重心は、前記回動の中心に対して前記アーム部の一端の反対側に位置している
ことを特徴とする請求項３に記載の照明装置。
【請求項５】
前記重りは、前記下ベース部に固定された第１重り部と、前記上ベース部に固定された第２重り部とから成り、
前記上ベース部の回動に伴って前記第２重り部が回動することにより、前記重りの重心が回動する
ことを特徴とする請求項３または４に記載の照明装置。
【請求項６】
平面視において、前記第２重り部は、前記回動の中心に対して前記アーム部の一端の反対側に位置している
ことを特徴とする請求項５に記載の照明装置。
【請求項７】
平面視において、前記面積中心と前記回動中心とは一致している
ことを特徴とする請求項１から６の何れか１項に記載の照明装置。
【請求項８】
前記アーム部の前記重りの重心から遠い側には、前記照明部の点灯状態を変更するための操作部が設けられている
ことを特徴とする請求項１から７の何れか１項に記載の照明装置。
【請求項９】
前記アーム部は、第１アーム部材および第２アーム部材から成り、
前記第１アーム部材の一端は、第１連結部により前記設置面に直交する平面内において回動可能に前記ベースに連結されており、
前記第１アーム部材の他端は、第２連結部により前記設置面に直交する平面内において回動可能に前記第２アーム部材の一端に連結されており、
前記第２部材の他端には、前記照明部が連結されている
ことを特徴とする請求項１から８の何れか１項に記載の照明装置。
【発明の詳細な説明】
【技術分野】
【０００１】
本発明は、照明装置に関し、特に卓上に載置された場合に転倒しにくい構成を有する照明装置に関する。
【背景技術】
【０００２】
卓上に載置して使用する照明装置、所謂デスクスタンドにおいては、台座としてのベースと、光源を有する照明部と、長尺のアーム部を備え、アーム部の一端にベースが連結され、他端に照明部が連結され、アームにより照明部が台座に対して支持される構成が一般に採用されている。そして、電源ＯＮ／ＯＦＦ用のスイッチや調光用のスイッチ等を備えた操作部が、ユーザが操作しやすいベースの手前側（ユーザと対向する側）に配置され、アーム部の一端がベースの奥側に連結され、照明部がアーム部の他端から手前側に張り出すように支持された構成が一般に採用されている（例えば、特許文献１の図２参照）。
【先行技術文献】
【特許文献】
【０００３】
【特許文献１】特開平６−１３１９１０号公報
【発明の概要】
【発明が解決しようとする課題】
【０００４】
例えば、操作部がアーム部に配される場合、操作部がベースの奥側に位置していたのでは、ユーザが操作しづらい。また、例えば、アーム部が２つに折り畳み可能な場合には、アーム部がベースの奥側に配されていると次のような問題が生じる。アーム部がベースから奥側に曲がる場合は、アーム部を折りたたんだ際に、折りたたまれたアーム部の大部分がベースからはみ出してしまい、コンパクトになりづらい。コンパクトにしようとするとアーム部を短くしなくてはならず、照明部を動かせる範囲か狭くなりユーザの利便性が損なわれる。アーム部がベースから手前側に曲がる場合は、ベースの上に重ねられたアーム部の残りの部分を折り畳むと、照明部が上を向いてしまい、光源が外部に露出して破損等を受けやすくなる。
【０００５】
このため、アーム部がベースの手前側に配された構成の方が好都合な場合がある。しかし、この場合、アーム部が伸ばされた場合、照明部の重さによりアーム部の他端に下方向の力のモーメントが生じ、これによりベースの手前側のアーム部の一端が連結されている部分を中心に回転方向のモーメントが作用するため、照明装置が手前側に転倒しやすいという問題がある。
【０００６】
本発明は、上記課題に鑑みてなされたものであり、アーム部がベースの手前側に連結されても、転倒しにくい照明装置を提供することを目的とする。
【課題を解決するための手段】
【０００７】
上記目的を達成するため、本発明に係る照明装置は、アーム部と、重りを有し前記アーム部の一端に連結されたベースと、光源を有し前記アーム部の他端に連結された照明部と、を備えた照明装置であって、平面視において、前記アーム部の一端は、前記ベースの面積中心から前記ベースの外周方向にずれた箇所に連結されており、前記アーム部の一端と前記ベースの面積中心とを通る第１の仮想直線と、前記ベースの面積中心を通り前記第１の仮想直線に直交する第２の仮想直線とを想定した場合に、前記照明部は、前記第２の仮想直線に対して前記アーム部の一端と同じ側に位置し、前記照明部と前記ベースの面積中心との間の距離は、前記アーム部の一端と前記ベースの面積中心との間の距離よりも長く、前記第２の仮想直線に対して前記ベースの前記アーム部の一端が連結されている側を第１領域、連結されていない側を第２領域とすると、前記重りの重心は、前記第２領域に位置することを特徴とする。
【発明の効果】
【０００８】
本発明に係る照明装置によれば、重りの重心が第２領域に位置しており、ベースに連結されているアーム部の一端から重りの重心が面積中心よりも遠くに位置しているため、照明部の重さによる照明装置の転倒を抑制することができる。
【図面の簡単な説明】
【０００９】
【図１】実施形態１に係る照明装置１の外観斜視図である。
【図２】図１のＡ−Ａ直線に沿った照明部４の矢視断面図である。
【図３】ベース２の分解斜視図である。
【図４】（ａ）は上ベース部２２の分解斜視図であり、（ｂ）は、図１のＢ−Ｂ直線に沿ったベース２の矢視断面図である。
【図５】照明装置１の平面図であって、（ａ）は、照明部４が回動範囲の一方の端部に位置している状態における照明装置１の平面図であり、（ｂ）は、照明部４が回動範囲の中央に位置している状態における照明装置１の平面図であり、（ｃ）は、照明部４が回動範囲の他方の端部に位置している状態における照明装置１の平面図である。
【図６】照明装置１の転倒安定性について説明するための模式図であって、（ａ）は照明装置１の平面図であり、（ｂ）は照明装置１の側面図である。
【図７】実施形態２に係るベース１０２の分解斜視図である。
【図８】実施形態２に係る照明装置１０１の平面図であって、（ａ）は、照明部４が回動範囲の一方の端部に位置している状態における照明装置１０１の平面図であり、（ｂ）は、照明部４が回動範囲の中央に位置している状態における照明装置１０１の平面図であり、（ｃ）は、照明部４が回動範囲の他方の端部に位置している状態における照明装置１０１の平面図である。
【図９】実施形態３に係るベース２０２の分解斜視図である。
【発明を実施するための形態】
【００１０】
本発明を実施するための形態を、図面を参照して詳細に説明する。なお、各図は、模式図であり、図面に示された部品等の各構成要素の形状や寸法および比等については、必ずしも厳密に図示したものではない。
＜実施形態１＞
本発明の一態様である実施形態１に係る照明装置について、図面を参照しながら説明する。先ず、実施形態に係る照明装置１の構成について説明する。
【００１１】
［全体構成］
図１は照明装置１の外観斜視図である。図１に示すように、照明装置１は、ベース２と、アーム部３と、照明部４とを有する。なお、各図においては、Ｙ方向を「前」（使用時にユーザと対向する側）、−Ｙ方向を「後」、Ｚ方向を「上」、−Ｚ方向を「下」とする。
【００１２】
以下、照明装置１の各構成要素について説明する。
（ベース２）
ベース２は照明装置１の台座であり、内部に必要量の錘が内蔵されている。
（アーム部３）
長尺のアーム部３は第１アーム部材３ａと、第２アーム部材３ｂとを備える。第１アーム部材３ａは一端に設けられた第１連結部３ｄにおいてベース２に連結される。また第１アーム部材３ａは他端に設けられた第２連結部３ｅにおいて第２アーム部材３ｂと連結される。第１連結部３ｄおよび３ｅは蝶番構造を有する。これにより、例えばユーザが第２アーム部材３ｂを前方に引き寄せると、それに応じて第１アーム部材３ａ及び第２アーム部材３ｂの間の角度が開く。さらに、ベース２及び第１アーム部材３ａの間の角度が開く。
【００１３】
第１アーム部材３ａの正面側（前方側）には操作部３ｃが配される。操作部３ｃは、例えば、静電容量方式で作動する。ユーザが操作部３ｃに触れることにより、照明部４のオン／オフ操作を行うことができる。また、ユーザが操作部３ｃ上に指をスライドさせることで、照明部４の調光を行うことができる。
（照明部４）
図２は、図１のＡ−Ａ直線による照明部４の矢視断面図である。照明部４は、光源としてのＬＥＤ発光素子を備え、照明装置１における灯具として機能する部位である。図１および図２に示すように、照明部４は、ボールジョイント構造を有する第３連結部３ｆにより第２アーム部材３ｂに対して回転または搖動可能に連結されている。また、本実施形態に係る照明装置１においては、照明部４は、第２アーム部材３ｂの下方に、第３連結部３ｆによって吊り下げられたような状態で連結されている。
【００１４】
照明部４は、全体的な内部構造としては、一対のカバー（第１カバー４０及び第２カバー４１）と、その間に配された照明ユニット４５とを有する。照明装置１においては、照明部４は一例として円盤状であるが、これに限られない。
第１カバー４０及び第２カバー４１は、それぞれ樹脂材料を用いた射出成型品として構成される。第１カバー４０の内面４０ａの中央部には、第３連結部３ｆが連結されている。
【００１５】
照明ユニット４５は、放熱板５と、複数のＬＥＤ６１が実装された実装基板６と、反射拡散シート７と、導光板８と、拡散板９と、枠体１０とを有する。これらの構成要素が同順に重ねられ、枠体１０の上からネジ留め（不図示）により一体化されている。枠体１０の開口１０ａからは拡散板９が露出している。拡散板９は、第２カバー４１の開口４２から外部に露出している。
【００１６】
［ベース２の構成］
図３は、ベース２の構成を示す分解斜視図である。図３に示すように、ベース２は、下ベース部２１および上ベース部２２から成る。
（下ベース部２１）
下ベース部２１は、底部材２１ａ、重り２１ｂ、および下スライダ２１ｃを有する。
【００１７】
底部材２１ａは樹脂や金属等の材料から成る有底筒状の部材であり、底面の中央部に開口を有する。底部材２１ａの上面２１ａ１の前方側の部分には、ガイド溝２１ａ１ａが形成されている。
重り２１ｂは、スチールや鉛等の金属材料から成る無底筒状の部材である。重り２１ｂは、前方側の第１重り部分２１ｂ１、後方側の第２重り部分２１ｂ２、および第１重り部分２１ｂ１と第２重り部分２１ｂ２との間の部分である第３重り部分２１ｂ３から成る。重り２１ｂの底面２１ｂ４は、ネジ孔が形成されている以外は、全周に亘って平坦な面となっている。
【００１８】
第２重り部分２１ｂ２の筒軸Ｘ方向（Ｚ軸方向）における高さ（以下、単に「高さ」という。）は、第１重り部分２１ｂ１の高さよりも高くなっている。従って、平面視した場合に単位面積当たりの重さが、第２重り部分２１ｂ２は第１重り部分２１ｂ１よりも重くなるように設定されている。第３重り部分２１ｂ３の高さは、第１重り部分２１ｂ１側から第２重り部分２１ｂ２側へと向かうにつれて徐々に高くなっており、第３重り部分２１ｂ３の上面は傾斜面となっている。これにより、第３重り部分２１ｂ３は、第１重り部分２１ｂ１側から第２重り部分２１ｂ２側へと向かうにつれて徐々に重くなっている。重り２１ｂの後方側側面には、側凹部２１ｂ５が形成されており、側凹部２１ｂ５の上方は上面２１ｂ６まで連通しており、上面２１ｂ６の後方側の一部が欠損した状態となっている。重り２１ｂは、底部材２１ａの筒の内部空間である収容部分２１ａ２内に収容される。なお、重り２１ｂが第３重り部分２１ｂ３を備えず、第１重り部分２１ｂ１および第２重り部分２１ｂ２が互いに連接される構成であってもよい。
【００１９】
下スライダ２１ｃは、樹脂や金属等の材料から成る無底筒状の部材である。下スライダ２１ｃが形成される樹脂材料としては、例えば、フッ素樹脂やシリコーン樹脂等の良好なすべり性を有する樹脂が用いられる。下スライダ２１ｃは、手前側（Ｙ側）の第１下スライダ部分２１ｃ１、奥側（−Ｙ側）の第２下スライダ部分２１ｃ２、および第１下スライダ部分２１ｃ１と第２下スライダ部分２１ｃ２との間の部分である第３下スライダ部分２１ｃ３から成る。下スライダ２１ｃの上面２１ｃ４は、ネジ孔が形成されている以外は全周に亘って平坦な面となっている。
【００２０】
第１下スライダ部分２１ｃ１の高さは、第２下スライダ部分２１ｃ２よりも高い。第３下スライダ部分２１ｃ３の高さは、第１下スライダ部分２１ｃ１側から第２下スライダ部分２１ｃ２側へと向かうにつれて徐々に低くなっており、第３下スライダ部分２１ｃ３の下面は、傾斜面となっている。
第１重り部分２１ｂ１と第２重り部分２１ｂ２との高低差は、第１下スライダ部分２１ｃ１と第２下スライダ部分２１ｃ２との高低差と同じになっている。また、第３重り部分２１ｂ３の上面の傾斜角度は、第３下スライダ部分２１ｃ３下面の傾斜角度と同じになっている。これにより、重り２１ｂ上に下スライダ２１ｃを積層した場合に、重り２１ｂの上面の形状と下スライダ２１ｃの下面の形状が一致し、重り２１ｂ上と下スライダ２１ｃの積層体は、全体として上下面が共にほぼ水平な円筒形状を有する。下スライダ２１ｃのｔ５に対応する部分には、配線用貫通孔２１ｃ５が形成されている。側凹部２１ｂ５および配線用貫通孔２１ｃ５を介して配線６３が上ベース部２２内部に引き回され、これにより、ベース２の外部に配設された電源プラグ（不図示）からＬＥＤ６１まで電気的に接続される。
【００２１】
底部材２１ａの収容部分２１ａ２に重り２１ｂが収容され、重り２１ｂ上に下スライダ２１ｃがさらに積層された状態で、不図示のネジが螺合されてこれらが一体的に固定される。
（上ベース部２２）
図４（ａ）は、斜め下方から見た上ベース部２２および下スライダ２１ｃの分解斜視図である。図４（ｂ）は、図１のＢ−Ｂ直線に沿った矢視断面図である。
【００２２】
上ベース部２２は、上スライダ２２ａおよびカバー部材２２ｂを有する。
上スライダ２２ａは、樹脂や金属等の材料から成る無底筒状の部材である。上スライダ２２ａが形成される樹脂材料としては、例えば、フッ素樹脂やシリコーン樹脂等の良好なすべり性を有する樹脂が用いられる。上スライダ２２ａの下面２２ａ１の前方側には、一対の突起２２ａ２が形成されている。
【００２３】
カバー部材２２ｂは、樹脂や金属等の材料から成る無底筒状の部材である。カバー部材２２ｂの内径は、上下方向において一定であるが、外径は下方から上方へと向かうにつれて縮径している。カバー部材２２ｂ下面の外周縁部には、円環状の着座面２２ｂ１が形成されており、上スライダ２２ａの上面２２ａ３に着座面２２ｂ１が載置された状態でカバー部材２２ｂと上スライダ２２ａとがネジ等により一体的に固定される。
【００２４】
着座面２２ｂ１の内側には、周方向の全周に亘って連続した円環状のリブ２２ｂ２が互いに間隔を開けて一対形成されている。上ベース部１２２が下ベース部１２１上に組み付けられた際には、下スライダ２１ｃ上にリブ２２ｂ２が載置される。また、このとき、上スライダ２２ａの突起２２ａ２が底部材２１ａのガイド溝２１ａ１ａ内に位置している。そして、カバー部材２２ｂが底部材２１ａに対して筒軸Ｘ廻りに回転されると、カバー部材２２ｂに固定された上スライダ２２ａが底部材２１ａの上面２１ａ１上を滑動し、カバー部材２２ｂのリブ２２ｂ２が底部材２１ａに固定された下スライダ２１ｃ上を滑動する。これにより、上ベース部２２は、下ベース部２１に対して回動可能となっている。また、突起２２ａ２がガイド溝２１ａ１ａ内に位置しているため、ガイド溝２１ａ１ａの両端部に突起２２ａ２が当接することにより、上ベース部２２の回動が規制される。従って、ガイド溝２１ａ１ａが形成されている範囲により上ベース部２２の回動範囲が規定されている。
【００２５】
［上ベース部２２の回動］
図５は、照明装置１の平面図であって、上ベース部２２の回動の態様を模式的に示す図である。図５（ａ）は、回動範囲（矢印Ｄで示す。）のＸ側極限まで上ベース部２２が回動されている状態を示す平面図である。図５（ｂ）は、回動範囲の中間に上ベース部２２が位置している状態であって照明部４が正面を向いている状態（照明部４が最も前方側に位置している状態）を示す平面図である。図５（ｃ）は、回動範囲の−Ｘ側極限まで上ベース部２２が回動されている状態を示す平面図である。
【００２６】
なお、図５（ａ），（ｂ），（ｃ）においては、わかりやすく簡潔に図示するために、カバー部材２２ｂ，上スライダ２２ａ，下スライダ２１ｃについては図示を省略している。また、第３重り部分についても図示を省略し、第１重り部分２１ｂ１と第２重り部分２１ｂ２とが互いに連接されているとして図示している。
また、Ｃは、平面視におけるベース２の面積中心を示し、Ｇは、重り２１ｂの重心を示す。本実施形態においては、ベース２の面積中心Ｃは、上ベース部２２の回動中心と一致している。
【００２７】
ここで、図５（ｂ）に示す、照明部４が正面を向いている状態について考える。図６（ａ）は、図５（ｂ）と同じ状態の照明装置１を模式的に示す平面図である。図６（ｂ）は、図５（ｂ）および図６（ａ）に示す照明装置１を模式的に示す側面図である。図６（ａ），（ｂ）に示す状態は、次のように表すことができる。平面視において、第１連結部３ｄ（アームの一端）とベース２の面積中心Ｃとを結ぶ仮想直線Ｌ１と、仮想直線Ｌ１に直交する仮想直線Ｌ２とを想定した場合、仮想直線Ｌ２に対して第１連結部３ｄと照明部４とが同じ側に位置しており、且つ照明部４と面積中心Ｃとの間の距離が、第１連結部３ｄと面積中心Ｃとの間の距離よりも長い状態と表すことができる。この状態において、照明部４の重さにより、第２アーム部材３ｂの第３連結部３ｆと連結している部分は、矢印Ｅで示す下向きの力を受ける。すると、照明装置１は、第１連結部３ｄを中心に矢印Ｆで示す回転方向の力を受け、前方に転倒しやすくなる。そこで、照明装置１が前方に転倒するのを抑制するためには、重り２１ｂの重心をできるだけ後方側に配置することが考えられる。ここで、重りの重心を後方側に持ってくることを考えずに、ベース２内部を均一な厚みを有する重りで満たした場合、重りの重心は、平面視においてベース２の面積中心と一致する。従って、照明装置１の転倒を抑制するために重りの重心をより後方側に持ってくることを意図する場合、重りの重心が平面視において少なくともベースの面積中心よりも照明部と反対側に位置していればよいことになる。即ち、図６（ａ）において、平面視において仮想直線Ｌ２に対して、ベース２の第１連結部３ｄが位置している側を第１領域Ｒ１（図６（ａ）において、横縞で示す領域）とし、第１連結部３ｄが位置していない側を第２領域Ｒ２（図６（ａ）において、縦縞で示す領域）とすると、重りの重心Ｇが第２領域Ｒ２に位置していればよい。
【００２８】
図５に戻って、次に、図５（ａ）および図５（ｃ）に示す、上ベース部２２が回動範囲の両側の極限に位置している場合について考える。
図５（ａ）に示すように、上ベース部２２が回動範囲のＸ側の極限に位置している場合、仮想直線Ｌ２に対して第１連結部３ｄが位置していない側に重り２１ｂの重心Ｇが位置している。従って、この場合においても、照明装置１の転倒を抑制することができる。
【００２９】
図５（ｃ）に示すように、上ベース部２２が回動範囲の−Ｘ側の極限に位置している場合、仮想直線Ｌ２に対して第１連結部３ｄが位置していない側に重り２１ｂの重心Ｇが位置している。従って、この場合においても、照明装置１の転倒を抑制することができる。
以上説明したように、本実施の形態の構成によると、上ベース部２２が下ベース部２１に対して回動可能であり、ユーザが照明部４による照射範囲を調節することができ、ユーザの利便性に資することができる。また、上ベース部２２の回動範囲内において、平面視で仮想直線Ｌ２に対して第１連結部３ｄが位置していない側に重り２１ｂの重心Ｇが位置している。これにより、上ベース部２２を回動させた場合にも、回動範囲内において照明装置１が転倒する虞が小さいため、ユーザの利便性にさらに資することができる。
【００３０】
＜実施形態２＞
上記実施形態１においては、下ベース部２１に固定された重り２１ｂの後方側の部分がより厚くなっており、これにより後方側をより重くして照明装置１の前方側への転倒を抑制する構成について説明した。しかし、照明装置の転倒を抑制する重りの形状および構成はこれに限定されるものではない。また、ベースの構成もこれに限定されるものではない。実施形態２においては、別の構成を有するベースおよび重りを備えた照明装置について説明する。
【００３１】
なお、説明の重複を避けるため、実施形態１と同じ構成要素については、同符号を付して、その説明を省略する。以下、各実施形態および各変形例についても同様である。
図７は、実施形態２に係る照明装置１０１のベース１０２の構成を示す分解斜視図である。図７に示すように、ベース１０２は、下ベース部１２１および上ベース部１２２から成る。なお、図７においては、下ベース部１２１については分解図ではなく、断面図で示している。
【００３２】
（下ベース部１２１）
下ベース部１２１は、底部材１２１ａおよび下スライダ１２１ｃを有する。底部材１２１ａは、底面１２１ｂの開口縁部分が上方に延設されてリブ１２１ｄが形成されており、これにより、溝部分１２１ｅが形成されている以外は、基本的な構成は実施形態１に係る底部材２１ａと同じである。底部材１２１ａは、底部材２１ａと同様に、上面１２１ａ１の前方側にガイド溝１２１ａ１ａが形成されている。また、溝部分１２１ｅは、底部材２１ａにおける収容部分２１ａ２に相当する。
【００３３】
下スライダ１２１ｃは、樹脂や金属等の材料から成る無底筒状の部材である。下スライダ１２１ｃが形成される樹脂材料としては、例えば、フッ素樹脂やシリコーン樹脂等の良好なすべり性を有する樹脂が用いられる。下スライダ１２１ｃは、接着剤等により溝部分１２１ｅ内において底面１２１ｂに固定されている。
（上ベース部１２２）
上ベース部１２２は、重り１２２ａ、上スライダ１２２ｂ、およびカバー部材１２２ｃを有する。
【００３４】
重り１２２ａは、スチールや鉛等の金属材料から成る無底筒状の部材である。重り１２２ａは、前方側の第１重り部分１２２ａ１、後方側の第２重り部分１２２ａ２から成る。重り１２２ａの底面１２２ａ３は、ネジ孔が形成されている以外は、全周に亘って平坦な面となっている。第２重り部分１２２ａ２の高さは、第１重り部分１２２ａ１の高さよりも高い。これにより、平面視した場合に単位面積当たりの重さが、第２重り部分１２２ａ２は第１重り部分１２２ａ１よりも重くなるように設定されている。これにより、平面視において、面積中心よりも第２重り部分１２２ａ２側に重り１２２ａの重心が位置するように設定されている。重り１２２ａの後方側側面には、配線を引き回すための側凹部１２２ａ４が形成されている。
【００３５】
上スライダ１２２ｂは、樹脂や金属等の材料から成る無底筒状の部材である。上スライダ１２２ｂは、鍔状部分１２２ｂ１および鍔状部分１２２ｂ１の下方に連設された上スライダ本体部分１２２ｂ２とから成る。鍔状部分１２２ｂ１は、平面視円環状の平板状の部材であり、ネジ孔および配線用貫通孔１２２ｂ３が形成されている。また、鍔状部分１２２ｂ１の下面１２２ｂ１ａの前方側には、突起１２２ｂ１ｂが形成されている。上スライダ本体部分１２２ｂ２は、鍔状部分１２２ｂ１の下方において、第１重り部分１２２ａ１に対応する領域に形成されており、第２重り部分１２２ａ２に対応する領域には形成されていない。
【００３６】
カバー部材１２２ｃは、外観形状は実施形態１におけるカバー部材２２ｂと同じである。カバー部材１２２ｃの底面側には円環状の着座面（不図示）が形成されている。カバー部材１２２ｃは、着座面の内側にリブが形成されていない点において実施形態１に係るカバー部材２２ｂと異なっている以外は、基本的な構成はカバー部材２２ｂと同じである。重り１２２ａの上に上スライダ１２２ｂが積層され、上スライダ１２２ｂの上面にカバー部材１２２ｃの着座面が載置された状態で、カバー部材１２２ｃと上スライダ１２２ｂと重り１２２ａとがネジ等により一体的に固定され、上ベース部１２２が構成される。
【００３７】
そして、上ベース部１２２が下ベース部１２１上に積層される。このとき、上スライダ１２２ｂの突起１２２ｂ１ｂが、底部材１２１ａの上面１２１ａ１に設けられたガイド溝１２１ａ１ａ内に位置している。そして、カバー部材１２２ｃが底部材１２１ａに対して筒軸Ｘ廻りに回転されると、上スライダ１２２ｂを介してカバー部材１２２ｃに固定された重り１２２ａが、底部材１２１ａの溝部分１２１ｅに固定された下スライダ１２１ｃ上を滑動する。これにより、上ベース部１２２は、下ベース部１２１に対して回動可能となっている。そしてこのとき、重り１２２ａは、上スライダ１２２ｂを介してカバー部材１２２ｃに固定されているため、カバー部材１２２ｃの回動と共に回動する。
【００３８】
また、突起１２２ｂ１ｂがガイド溝１２１ａ１ａ内に位置しているため、ガイド溝１２１ａ１ａの両端部に突起１２２ｂ１ｂが当接することにより、上ベース部１２２の回動が規制される。従って、ガイド溝１２１ａ１ａが形成されている範囲により上ベース部１２２の回動範囲が規定されている。
［上ベース部１２２の回動］
図８は、照明装置１０１の平面図であって、上ベース部１２２の回動の態様を模式的に示す図である。図８（ａ）は、回動範囲のＸ側極限まで上ベース部１２２が回動されている状態を示す平面図である。図８（ｂ）は、回動範囲の中間に上ベース部１２２が位置している状態であって照明部４が正面を向いている状態を示す平面図である。図８（ｃ）は、回動範囲の−Ｘ側極限まで上ベース部１２２が回動されている状態を示す平面図である。
【００３９】
なお、図８（ａ），（ｂ），（ｃ）においても、わかりやすく簡潔に図示するために、カバー部材１２２ｃおよび上スライダ１２２ｂについては図示を省略している。
図８（ａ），（ｂ），（ｃ）に示すように、カバー部材１２２ｃの回動に伴って重り１２２ａも一緒に回動するため、平面視において、第２重り部分１２２ａ２は仮想直線Ｌ２に対して常に第１連結部３ｄが位置していない側、即ち第１連結部３ｄとは反対側に位置している。従って、重り１２２ａの重心もまた、仮想直線Ｌ２に対して常に第１連結部３ｄが位置していない側に位置している。
【００４０】
以上説明したように、実施形態２の構成によると、第２重り部分１２２ａ２が第１連結部３ｄとは反対側に位置する態様でカバー部材１２２ｃに固定され、上ベース部１２２の一部として一緒に回動する。従って、平面視において、仮想直線Ｌ２に対して第１連結部３ｄが位置していない側に重り１２２ａの重心Ｇが常に位置している。これにより、上ベース部１２２を回動させた場合においても、照明装置１０１が転倒する虞が小さく、ユーザの利便性に資することができる。
【００４１】
＜実施形態３＞
上記実施形態２においては、重り１２２ａ全体が上ベース部１２２の回動に伴って一緒に回動する構成について説明した。しかし、ユーザが上ベース部１２２を回動させる際に、重り１２２ａ全体を一緒に回動させるため重くなり、回動させるのに労力を要することとなる。かといって、重り１２２ａを軽量化すると、ベース１０２自体の安定性が低減し、照明装置１０１が転倒しやすくなるという問題が生じる。実施形態３においては、照明装置の転倒を抑制しつつ、回動に要するユーザの労力を軽減可能な構成について説明する。
【００４２】
図９は、実施形態３に係る照明装置のベース２０２の分解斜視図である。図９に示すように、ベース２０２は、下ベース部２２１および上ベース部２２２から成る。なお、図９においては、下ベース部２２１については分解図ではなく、断面図で示している。
（下ベース部２２１）
下ベース部２２１は、底部材２２１ａと、下重り２２１ｂと、下スライダ２２１ｃとを有する。底部材２２１ａは、リブ２２１ｄの高さが実施形態２に係る底部材１２１ａのリブ１２１ｄよりも高い点を除いては、基本的な構成は実施形態２に係る底部材１２１ａと同じである。底部材２２１ａは、底部材２１ａ，１２１ａと同様に、上面２２１ａ１の前方側にガイド溝２２１ａ１ａが形成されている。また、溝部分２２１ｅは、底部材１２１ａにおける溝部分１２１ｅと同様に収容部分２１ａ２に相当し、重りの一部を収容する。
【００４３】
下重り１２１ｂは、スチールや鉛等の金属材料から成る無底筒状の部材である。下重り１２１ｂは、周方向の全周に亘って厚さが略均一に形成されており、下重り１２１ｂの重心は軸Ｘと略一致している。下重り２２１ｂは、溝部分２２１ｅ内に収容され、溝部分２２１ｅの底面２２１ｆに接着剤等を用いて固定されている。
下スライダ２２１ｃは、樹脂や金属等の材料から成る無底筒状の部材である。下スライダ１２１ｃが形成される樹脂材料としては、例えば、フッ素樹脂やシリコーン樹脂等の良好なすべり性を有する樹脂が用いられる。溝部分２２１ｅ内において、下重り２２１ｂの上に下スライダ２２１ｃが積層され、接着剤等を用いて下重り２２１ｂに固定されている。
【００４４】
（上ベース部２２２）
上ベース部２２２は、上重り２２２ａ、上スライダ１２２ｂ、およびカバー部材１２２ｃを有する。
上重り２２２ａは、スチールや鉛等の金属材料から成り、無底円筒の一部分を切り出したような形状を有し、上スライダ１２２ｂの上スライダ本体部分１２２ｂ２が形成されていない領域に対応した形状を有している。上重り２２２ａの後方側側面には、配線を引き回すための側凹部２２２ａ４が形成されている。
【００４５】
上スライダ１２２ｂの上スライダ本体部分１２２ｂ２が形成されていない部分に上重り２２２ａが嵌め込まれた状態で、上重り２２２ａと上スライダ１２２ｂとカバー部材１２２ｃとがネジ留め等により一体的に固定されて上ベース部２２２が構成される。
そして、上ベース部２２２が下ベース部２２１上に積層される。このとき、上スライダ１２２ｂの突起１２２ｂ１ｂが、底部材２２１ａの上面２２１ａ１に設けられたガイド溝２２１ａ１ａ内に位置している。そして、カバー部材１２２ｃが下ベース部２２１に対して筒軸Ｘ廻りに回転されると、カバー部材１２２ｃに固定された上スライダ１２２ｂおよび上重り２２２ａが、底部材２２１ａの溝部分２２１ｅ内に固定的に収容されている下スライダ２２１ｃ上を滑動する。これにより、上ベース部２２２は、下ベース部２２１に対して回動可能となっている。そしてこのとき、上重り２２２ａは、上スライダ１２２ｂを介してカバー部材１２２ｃに固定されているため、カバー部材１２２ｃの回動と共に回動する。一方、下重り２２１ａは、底部材２２１ａの底面２２１ｆに固定されており、回動しない。
【００４６】
よって、実施形態３に係る照明装置２０１の平面視における態様は、図８（ａ），（ｂ），（ｃ）に示す、実施形態２に係る照明装置１０１の回動態様と同じとなる。実施形態３においては、下重り２２１ｂと上重り２２２ａが重なった部分が、実施形態２における第２重り部分１２２ａ２に相当し、下重り２２１ｂのみの部分が、第１重り部分１２２ａ１に相当する。
【００４７】
従って、実施形態３の構成によっても、上ベース部２２２が回動しても、平面視において仮想直線Ｌ２に対して第１連結部３ｄと反対側に上重り２２２ａが常にが位置していることとなる。即ち、平面視において、仮想直線Ｌ２に対して第１連結部３ｄが位置していない側に重り（ここでは、下重り２２１ｂおよび上重り２２２ａを合わせたもの）の重心Ｇが常に位置している。これにより、上ベース部２２２を回動させた場合においても、照明装置２０１が転倒する虞が小さく、ユーザの利便性に資することができる。
【００４８】
さらに、実施形態３の構成によると、次のような効果も得られる。実施形態３に係るベース２０２では、下重り２２１ａによりベース２０２の安定性を確保して、重り全体を軽量化する場合と比較して照明装置２０１全体の安定性を確保することができる。加えて、カバー部材１２２ｃの回動と共に上重り２２２ａのみが回動する構成となっているため、ユーザは回動の際に重り全体を回動させなくてよく、回動に要するユーザの労力を軽減して、ユーザの利便性に資することができる。
【００４９】
＜変形例＞
以上、本発明の構成を実施形態に基づいて説明したが、本発明は上記実施形態に限られず、以下のような変形例を実施することができる。
（変形例１）
上記各実施形態においては、ベースが回動可能な構成を有していたが、これに限られない。ベースが固定されて回動しない構成を有する照明装置であってもよい。その場合でも、第２仮想直線に対して第１連結部３ｄが位置していない側に重りの重心が位置する構成を備えることにより、照明装置の転倒を抑制することができる。
【００５０】
（変形例２）
前方側から後方側に向かうにつれて重りが徐々に重くなっていく構成としてもよい。例えば、重りの高さが前方側から後方側に向かうにつれて徐々に高くなる形状としてもよいし、前方側から後方側に向かうにつれて徐々に比重の重い材料を用いて重りを形成してもよい。
【００５１】
（変形例３）
スライダ（上スライダ，下スライダ）を金材材料を用いて形成する場合、すべり性を向上させるために金属のスライダ表面にフッ素樹脂やシリコーン樹脂のシートを貼付したり、これらの樹脂でコーティングする処理を施してもよい。
（変形例４）
上記各実施形態においては、回動範囲を規制する突起は２つ形成されていたが、これに限られない。１つでもよいし、３つ以上形成されていてもよい。
【００５２】
（変形例４）
上記実施形態および各変形例においては、ベースは円筒形状であったが、これに限られない。多角筒状であってもよいし、円柱や多角柱等の柱状でもよいし、円錐や多角錐といった錐体でもよいし、ドーム状やハート形等の不定形であってもよい。
（変形例５）
上記実施形態においては、照明部４は光源としてＬＥＤ６１を備えていたが、これに限られない。光源としてＬＥＤに代えて、蛍光灯、白熱電球、有機ＥＬ（Ｅｌｅｃｔｒｏ−Ｌｕｍｉｎｅｓｃｅｎｃｅ）素子、ＬＤ（レーザダイオード；Ｌａｓｅｒ  Ｄｉｏｄｅ）等を用いてもよいし、これらを複数組み合わせて用いてもよい。
【００５３】
（変形例６）
上記実施形態においては、照明部４の外観形状は、平面視円形の円盤状であったが、これに限られない。例えば、照明部４の外観形状が、平面視において長方形や正方形であってもよいし、その他の多角形、楕円、超楕円、ハート形等の不定形であってもよい。
（変形例７）
上記実施形態においては、アーム部３は、主に第１アーム部３ａおよび第２アーム部３ｂの２つのパーツから構成されていたが、これに限られない。例えば、アーム部３を構成する主なパーツが長尺な１つの部材であってもよいし、３つ以上のパーツから構成されていてもよい。
【００５４】
なお、上記実施形態に係る照明装置の部分的な構成、および上記各変形例に係る構成を、適宜組み合わせてなる照明装置であっても良い。また、上記実施形態および各変形例における説明に記載した材料、数値等は好ましいものを例示しているだけであり、それに限定されることはない。また、各図面における各部材の寸法および比は、一例として挙げたものであり、必ずしも実在の照明装置の寸法および比と一致するとは限らない。さらに、本発明の技術的思想の範囲を逸脱しない範囲で、照明装置の構成に適宜変更を加えることは可能である。
【符号の説明】
【００５５】
１，１０１，２０１  照明装置
２，１０２，２０２  ベース
３  アーム部
３ａ  第１アーム部材
３ｂ  第２アーム部材
３ｃ  操作部
３ｄ  第１連結部
３ｅ  第２連結部
３ｆ  第３連結部
４  照明部
２１，１２１，２２１  下ベース部
２１ｂ，１２２ａ  重り
２２，１２２，２２２  上ベース部
６１  ＬＥＤ（光源）
２２１ｂ  下重り（第１重り部）
２２２ａ  上重り（第２重り部）
Ｌ１  第１仮想直線
Ｌ２  第２仮想直線
Ｃ  面積中心（回動中心）
Ｇ  重りの重心
Ｒ１  第１領域
Ｒ２  第２領域
【図１】
2014086404.tif 000003
【図２】
2014086404.tif 000004
【図３】
2014086404.tif 000005
【図４】
2014086404.tif 000006
【図５】
2014086404.tif 000007
【図６】
2014086404.tif 000008
【図７】
2014086404.tif 000009
【図８】
2014086404.tif 000010
【図９】
2014086404.tif 000011